(57)【要約】【課題】簡単な操作で、確実に、複数の機器のうちの所望のものに対する操作を行うことができる映像音声システムを提供することを目的とする。【解決手段】テレビジョン受像機（１）と周辺機器（２、３）の共通の機能についてのリモコン信号をテレビジョン受像機（１）が受信した場合、操作対象とする機器を選択するためのＧＵＩをテレビジョン受像機（１）の表示部（１ｂ）に表示させて、ユーザに該選択を行わせ（４）、周辺機器が選択されたときは、その後選択された周辺機器が共通のリモコン信号を直接受信して解読する共通機能コード応動モードに移行させる。【選択図】図１
2008236584.tif 000002
【特許請求の範囲】
【請求項１】
テレビジョン受像機とそれに映像音声信号を供給する少なくとも１台の周辺機器からなる映像音声システムであって、
前記テレビジョン受像機と前記少なくとも１台の周辺機器が同じリモコン送信機から発せられた共通のリモコン信号を受信して解読する受信手段を備え、
前記テレビジョン受像機と前記少なくとも１台の周辺機器が通常のモードにあるときに、前記テレビジョン受像機と前記少なくとも１台の周辺機器に共通の機能についてのリモコン信号を前記テレビジョン受像機が受信した場合、操作対象とする機器を選択するためのグラフィックユーザインターフェースを前記テレビジョン受像機の表示部に表示させて、ユーザに該選択を行わせ、前記少なくとも１台の周辺機器のいずれかが選択されたときは、その後、当該選択された周辺機器が前記共通のリモコン信号を直接受信して解読する共通機能コード応動モードに移行させるよう、該選択された周辺機器を制御する制御手段とを備える
ことを特徴とする映像音声システム。
【請求項２】
前記ユーザによる選択が、前記共通のリモコン信号を送信するためのリモコン送信機を操作することにより行われることを特徴とする請求項１に記載の映像音声システム。
【請求項３】
前記少なくとも１台の周辺機器のいずれかが共通機能コード応動モードにあるときは、前記テレビジョン受像機は、前記共通の機能についてのリモコン信号に応じた処理を行わないことを特徴とする請求項１に記載の映像音声システム。
【請求項４】
前記テレビジョン受像機と前記少なくとも１台の周辺機器が制御用信号線で互いに接続されており、前記制御手段は、選択された周辺機器に前記制御用信号線を介して信号を送ることにより、当該周辺機器を前記共通機能コード応動モードに移行させることを特徴とする請求項１に記載の映像音声システム。
【請求項５】
前記選択された周辺機器が前記共通機能コード応動モードにあるときに、前記共通の機能についてのリモコン信号が、連続して所定時間以上送信されなかったときに、前記制御手段は、当該周辺機器を、前記共通機能コード応動モードから離脱させる
ことを特徴とする請求項１に記載の映像音声システム。
【請求項６】
前記少なくとも１台の周辺機器の各々が記憶部を備え、
前記制御手段は、選択された周辺機器の前記記憶部に、所定のデータを書き込むことにより、当該周辺機器を前記共通機能コード応動モードに移行させることを特徴とする請求項１に記載の映像音声システム。
【発明の詳細な説明】
【技術分野】
【０００１】
本発明はテレビジョン受像機およびその周辺映像機器のリモコン送信機を使った映像音声システム（ＡＶシステム）に関するものである。
【背景技術】
【０００２】
近年、テレビジョン受像機（以下ＴＶと略記する）およびその周辺機器であるＶＴＲ、ＤＶＤレコーダ、Ｂｌｕ−ｒａｙディスクレコーダ、ハードディスクレコーダなどの映像記録再生装置（以下、「レコーダ」と称す）が多くの家庭に普及している。それらの機器は使用に際し、ＴＶと映像、音声ケーブルで接続される。これらの機器はリモコン送信機と併せて使われることが多い。ところがそれぞれのレコーダを操作するには機器ごとに別々のリモコン送信機を使用しなければならず、そのためユーザはＴＶのリモコンを操作していたものをレコーダのリモコンに持ち替えて操作をしなければならないなど、操作が煩雑であった。また、ＴＶ用のリモコンで誤ってレコーダの操作をしようとしてしまうこともあった。
【０００３】
別々のリモコンを使わなければならないのは、例えば同じ機種のレコーダを２台並べたときに、同じリモコンで操作できると、片方を動かしたいときに両方とも動いてしまうと言った事態が生じるので、そのような事態を回避するためリモコンコードを変えているためである。この不便さを解決するために１つのリモコンでＴＶもレコーダも操作するために、リモコン送信機にスライドスイッチをつけて、送信機のモードを変更することによって送信機から発するリモコンコードを切り替えるものが発売されている。しかし、レコーダを操作するつもりでリモコンの選局ボタンをユーザが押した場合、実際にはＴＶ用のリモコンコードが発せられる状態になっていると、ＴＶに対する操作が行われてしまうことになり、所望の動作状態に戻すのに手間がかかってしまうこともあった。
【０００４】
この改善策として、一つの共通のリモコンを用い、表示画面と対話形式で操作できるＴＶと周辺機器を組み合わせたＡＶシステムで、周辺機器は入力切換コマンドにより常に受信動作し、それ以外のコマンドの場合は自分の映像が選択されているときにのみ受信動作し、自分の映像信号選択時は画面表示によって操作機能が一覧表示され、カーソルにより操作機能を選択できるようにしたものがある（例えば、特許文献１参照）。
【０００５】
【特許文献１】特開平８−２１４１８２号公報
【発明の開示】
【発明が解決しようとする課題】
【０００６】
しかしながら、特許文献１のＡＶシステムでは、例えば、レコーダの出力画面をＴＶに表示しているときに選局操作を行う場合、レコーダの選局を行うことしかできず、ＴＶの選局動作を行うには一旦ＴＶ映像に切り替えてから選局動作を行わなければならず、操作が複雑であった。
【課題を解決するための手段】
【０００７】
本発明は、
テレビジョン受像機とそれに映像音声信号を供給する少なくとも１台の周辺機器からなる映像音声システムであって、
前記テレビジョン受像機と前記少なくとも１台の周辺機器が同じリモコン送信機から発せられた共通のリモコン信号を受信して解読する受信手段を備え、
前記テレビジョン受像機と前記少なくとも１台の周辺機器が通常のモードにあるときに、前記テレビジョン受像機と前記少なくとも１台の周辺機器に共通の機能についてのリモコン信号を前記テレビジョン受像機が受信した場合、操作対象とする機器を選択するためのグラフィックユーザインターフェースを前記テレビジョン受像機の表示画面に表示させて、ユーザに該選択を行わせ、前記少なくとも１台の周辺機器のいずれかが選択されたときは、その後、当該選択された周辺機器が前記共通のリモコン信号を直接受信して解読する共通機能コード応動モードに移行させるよう、該選択された周辺機器を制御する制御手段とを備える
ことを特徴とする映像音声システムを提供する。
【発明の効果】
【０００８】
本発明によれば、簡単な操作で、確実に、複数の機器のうちの所望のものに対する操作を行うことができる映像音声システムを提供することができる。
【発明を実施するための最良の形態】
【０００９】
実施の形態１．
図１はこの発明の実施の形態１の映像音声システム（ＡＶシステム）を示す全体図であり、図２は、図１のＡＶシステムの概略機能ブロック図である。これらの図において、１はテレビジョン受像機（ＴＶ）、２はＴＶに接続されている周辺機器のうちの１つである第１のレコーダ、３はＴＶに接続されている周辺機器のうちの他の１つである第２のレコーダ、４はＴＶ１用のリモコン信号を送信する第１のリモコン送信機、５は第１のレコーダ２用のリモコン信号を送信する第２のリモコン送信機、６は第２のレコーダ３用のリモコン信号を送信する第３のリモコン送信機、７はＴＶ１とレコーダ２を接続する制御用信号線、８はＴＶ１とレコーダ３を接続する制御用信号線である。リモコン信号は、それぞれ特定の動作を指示するコードを表すものであり、従って、リモコン信号の送信、受信を単にリモコンコードの送信、受信などと言うことがある。
【００１０】
第１及び第２のレコーダ２、３はそれぞれリモコン受信部２ａ、３ａ及び制御部２ｃ、３ｃを備え、初期モード乃至通常モードにおいては、対応するリモコン送信機５、６からのリモコンコードをリモコン受信部２ａ、３ａで受信して、それに応じた処理を制御部２ｃ、３ｃによる制御の下で行う。レコーダ２、３の各々は、電源が投入されたときは、この通常モードで動作する。
【００１１】
レコーダ２、３は、共通機能コード応動モードにおいては、ＴＶ１用のリモコン送信機４からのリモコンコードのうち、ＴＶ１、レコーダ２、３に共通の機能についての操作（例えば、選局のための操作）を指示するリモコンコード（以下単に「共通機能コード」と言うことがある）を解釈し、それに応じた処理を行うことができるように構成されている。これらの処理のための制御も制御部２ｃ、３ｃにより行われる。
【００１２】
ＴＶ１はリモコン受信部１ａ及び制御部１ｃを備え、通常モードにおいては、対応するリモコン送信機４からのリモコンコードをリモコン受信部１ａで受信して、それに応じた処理を制御部１ｃによる制御の下で行う。但し、リモコン送信機４からの共通機能コードを受信したときは、その共通機能コードがＴＶ１、レコーダ２、３のいずれに対する操作を意図したものであるかを確認するための処理を行う。この確認のための処理において、共通機能コードがＴＶ１に対する操作を意図したものであることを確認されたときは、共通機能コード応動モードに移行し、共通機能コードに応じた処理を行う。一方、上記確認のための処理において、共通機能コードがＴＶ１以外のもの、即ちレコーダ２、３に対する操作を意図したものであることを確認されたときは、当該操作が意図されているレコーダ２又は３を共通機能コード応動モードに移行させるともに、自らは共通機能コード拒否モードに移行し、それ以降、共通機能コードに応じた処理を行わない。ＴＶ１も電源が投入されたときは、通常モードで動作する。これらの処理のための制御も、制御部１ｃにより行われる。
【００１３】
以上のように、ＴＶ１の制御部１ｃは、ＴＶ１内における処理を制御するのみならず、レコーダ２、３を共通機能コード応動モードに移行させたり、通常モードに復帰させたりするための制御をも行う。
【００１４】
このように構成されたＴＶ１、レコーダ２，３を用いて、本実施の形態では、ＴＶ１と第１のレコーダ２、及び第２のレコーダ３に共通する機能の操作をＴＶ１用のリモコンを用いて行うことを可能にするものである。
例えば、共通の機能の操作の一例として、選局操作を行う場合、ＴＶ１用のリモコンで選局キーを押すと、リモコン送信機４から発せられたリモコンコードはＴＶ１のリモコン受信１ａで受信され、解読されるが、制御部１ｃは、ＴＶ１において、ただちに選局を実施させるのではなく、ＴＶ１の表示画面乃至表示部１ｂに、グラフィックユーザインターフェース（ＧＵＩ）１０を、どの機器に対する選局操作なのかをユーザに選択させる。ユーザによる選択は例えば、リモコン送信機４（共通機能コードを含めＴＶ１用のリモコンコードを発生し、ＴＶ１、レコーダ２、３の操作に用いられるもの）により行われる。
【００１５】
図３は、ユーザに操作機器を選択させるときに表示するＧＵＩイメージ（機器選択画面）である。図３において、１０は表示部１ｂに表示されるＧＵＩ全体イメージ、１１はＴＶ１を選択するためのボタン、１２はＴＶ１の「外部入力１」に接続された第１のレコーダ２を選択するためのボタン、１３はＴＶ１の「外部入力２」に接続された第２のレコーダ３を選択するためのボタン、１４はＧＵＩ１０の表示を消し操作を取りやめるために選択する「戻る」ボタン、１５は、ユーザに対する、メッセージ（プロンプト）を表示するための領域を示す。
【００１６】
第１のレコーダ２の選局操作を望む場合、ユーザは第１のレコーダ２の操作であることを表示部１ｂに表示されたＧＵＩ１０を使って指示する。この指示も例えばリモコン送信機４の例えばカーソルキー、カラーキー、テンキーなどを操作し、リモコン送信機４から信号を発することによって行われる。
【００１７】
制御部１ｃはＧＵＩ１０で選択された機器（第１のレコーダ２）に対して、リモコンの受信モードを変更するように、制御用信号線７を通じて信号を送る。例えば制御用信号線７の信号を第１の値、例えば「１」にする。これとともに、制御用信号線８の信号を第２の値、例えば「０」にする。また、ＴＶ１内部でも、制御回路１ｃ内に設定されるフラグを第２の値、例えば「０」にする。
【００１８】
第１のレコーダ２は、制御用信号線７の信号が第１の値「１」になったことに応じて、共通機能コード応動モード（共通機能コードを受信し、解釈し、それに応じた動作をする状態）に移行する。その後、リモコン送信機４により例えば再び選局のための操作が行われ、選局のためのリモコンコードが送信されると、第１のレコーダ２が直接ＴＶ１用のリモコンコードを受信部２ａで受信し、解釈し、制御部２ｃによる制御の下で選局動作を行う。一方、ＴＶ１及び第２のレコーダ３は選局操作のリモコンコードを受信しても、それに応じた動作（この場合、選局動作）を行わない。即ち、第２のレコーダ３は、通常モードに留まり、ＴＶ１は共通機能コード拒否モードに移行する。
【００１９】
同様に、第２のレコーダ３の選局操作を望む場合、ユーザは第２のレコーダ３に対する操作であることを表示部１ｂに表示されたＧＵＩ１０を使って指示する。
制御部１ｃＧＵＩ１０で選択された機器（第２のレコーダ３）に対して、リモコンの受信モードを変更するように、制御用信号線８を通じて信号を送る。例えば制御用信号線８の信号を第１の値、例えば「１」にする。これとともに、制御用信号線７の信号を第２の値、例えば「０」にする。また、ＴＶ１内部でも、制御回路１ｃ内に設定されるフラグを第２の値、例えば「０」にする。
【００２０】
第２のレコーダ３は、制御用信号線８の信号が第１の値「１」になったことに応じて、共通機能コード応動モードに移行する。その後、リモコン送信機４により例えば再び選局のための操作が行われ、選局のためのリモコンコードが送信されると、第２のレコーダ３が直接ＴＶ１用のリモコンコードを受信部３ａで受信し、解釈し、制御部３ｃによる制御の下で選局動作を行う。一方、ＴＶ１及び第１のレコーダ２は選局操作のリモコンコードを受信しても、それに応じた動作（この場合、選局動作）を行わない。即ち、第２のレコーダ３は、通常モードに留まり、ＴＶ１は共通機能コード拒否モードに移行する。
【００２１】
ＴＶ１の選局操作を望む場合、ユーザはＴＶ１に対する操作であることを表示部１ｂに表示されたＧＵＩ１０を使って指示する。制御部１ｃはそのことを認識し、制御回路１ｃ内に設定されるフラグ（図示しない）を第１の値、例えば「１」にし、第１及び第２のレコーダ２、３への制御用信号線７、８の制御信号を第２の値「０」にする。
この結果、ＴＶ１は、共通機能コード応動モードに移行する。そして、機器の選択の前にＴＶ１で受信され、記憶されている選局操作のリモコンコードに応じた動作（選局処理）を行う。一方、第１及び第２のレコーダ２、３は通常モードに留まり、選局操作のリモコンコードを受信しても、それに応じた処理（選局動作）を実行しない。
【００２２】
ＧＵＩ１０によりいずれかの機器が選択されたり、選択された機器において共通機能コードに応じた処理を実行したりすると、それ以降所定の時間内は、選択された機器は、共通機能コード応動モードに維持され、その状態で次の共通機能コードがリモコン送信機４から発せられると、上記の選択された機器（共通機能コード応動モードにある機器）において、共通機能コードが解読され、共通機能コードに応じた動作が行われる。このようにするのは、一般に、同じリモコン送信機４から短時間内に続けて共通機能コードが発せられるのは、同じ機器の操作のためであることが多いからである。
【００２３】
図４は、リモコン送信機４から発せられたリモコン信号をＴＶ１が受信したときのＴＶ１の動作を示すフロー図である。リモコン信号が受信されると、ＴＶ１では最初に共通機能コードを表すものであるかどうかの判定を行う（Ｓ１００）。
共通機能コードとしては、チャンネルアップ、チャンネルダウン、データ放送のオン／オフ（ＯＮ／ＯＦＦ）、上下左右カーソルなどがある。
共通機能コードを表すものであるときは、次にステップＳ１０１において、カウントダウンタイマー１ｔの値（タイマー値）を確認する。
【００２４】
カウントダウンタイマー１ｔは、ＴＶ１の制御部１ｃ内に設けられたものであり、初期値、例えば２０秒にセットされると、その後、バックグラウンドプロセスでカウントダウンを実行する。このため、例えば１秒経過ごとに値が１ずつ減算される。
このカウントダウンタイマー１ｔは、上記のように、ＴＶ１とレコーダ２、３に共通するリモコンの操作を２０秒間行わなかった場合に、ＴＶ１，レコーダ２，３を初期状態（通常状態）に戻すために使用されている。
【００２５】
ステップＳ１０１において、カウントダウンタイマー１ｔの値が「０」になっている場合（ステップＳ１０１でＹｅｓ）、制御部１ｃは表示部１ｂにＧＵＩ１０を表示させて（ステップＳ１０２）、ユーザに操作したい機器を選択させる（ステップＳ１０３）。
ユーザが機器を選択すると、カウントダウンタイマー１ｔを初期値、例えば２０秒に設定する（Ｓ１０４）。初期値に設定されたカウントダウンタイマー１ｔは、後に図５を参照して説明するようにカウントダウンを行う。
【００２６】
次に、ステップＳ１０５において、制御部１ｃはステップＳ１０３でＴＶ１を操作対象として選択したかどうかの判断を行い、ステップＳ１０３でＴＶ１が操作対象として選択されている場合には（ステップＳ１０５でＹｅｓ）、ＴＶ１を共通機能コード応動モードに移行させ、共通機能コードで指示されたコマンドをＴＶ１で実行する（ステップＳ１１０）。
【００２７】
ステップＳ１０３において、選択された機器がＴＶ１ではないときは、制御部１ｃは、次にステップＳ１０６で選択された機器が第１のレコーダ２であるかどうかの判定を行い、選択された機器が第１のレコーダ２である場合（ステップＳ１０６でＹｅｓ）、制御部１ｃは第１のレコーダ２に対して制御用信号線７を介して供給される制御信号を第１の値「１」にし（ステップＳ１０７）、第１のレコーダ２は、これに応じて共通機能コード応動モードに移行する。
【００２８】
ステップＳ１０６において、選択された機器が第１のレコーダ２でもないときは、制御部１ｃは、次にステップＳ１０８で選択された機器が第２のレコーダ３であるかどうかの判定を行い、選択された機器が第２のレコーダ３である場合（ステップＳ１０８でＹｅｓ）は、制御部１ｃは第２のレコーダ３に対して制御用信号線８を介して供給される制御信号を第１の値「１」にし（ステップＳ１０９）、第２のレコーダ３は、これに応じて共通機能コード応動モードに移行する。
【００２９】
ステップＳ１１０、Ｓ１０７、Ｓ１０９の処理の後、ステップＳ１１１において、カウントダウンタイマー１ｔを２０秒に設定し、一連の操作を終了する。
なお、ステップＳ１０８でＮｏの場合は、該当する機器がない場合であるので、リモコン受信モード変更は行わずにそのままフローを終了する。
【００３０】
ステップＳ１０１において、カウントダウンタイマー１ｔの値が「０」ではない（ステップＳ１０１でＮｏ）場合には、何もせず（即ち現在の動作モードを変更することなく）、ステップＳ１１１に進む。
なお、このとき、共通機能コード応動モードにある機器（ＴＶ１、レコーダ２、３のいずれか）は、共通機能コードを受信し、解読し、共通機能コードに応じた処理を実行する。
【００３１】
図５は、カウントダウンタイマー１ｔの動作及びそのカウント値に基づく動作モードの制御を示すフロー図である。図４のステップＳ１０４の処理により、初期値、例えば２０秒への設定が指示されたか否かの判定が行われる（Ｓ２００）。初期値への設定が指示されている場合には（Ｓ２００でＹｅｓ）、カウントダウンタイマー１ｔは初期値に設定され（Ｓ２０１），その後所定の時間単位（例えば１秒）経過毎に（Ｓ２０２）カウントダウンタイマー１ｔの値が減算され（Ｓ２０３）、減算後にカウントダウンタイマー１ｔの値が「０」となったかの判定を行い（Ｓ２０４）、「０」でなければ、図４のステップＳ１１１の処理により初期値へ再設定の指示が新たに出されたかどうかの判定を行う（Ｓ２０５）。なお、ここで、「再設定」とは、カウントダウンタイマー１ｔの値が「０」以外のときに初期値（２０秒）に設定することを意味する。
初期値への再設定が指示されている場合には、ステップＳ２０１に戻る。
初期値への再設定が指示されていない場合には、ステップＳ２０２に戻る。
ステップＳ２０４で、カウントダウンタイマー１ｔの値が「０」であれば、制御部１ｃは、共通機能コード応動モードを解除し、即ちＴＶ１、レコーダ２、３のうちのそれまで共通機能コード応動モードにあったものを、該共通機能コード応動モードから離脱させて、例えば通常モードに復帰させ（Ｓ２０６）、ステップＳ２００に戻る。
【００３２】
なお、上記の例では、ＴＶ１，レコーダ２，３が通常モードにあるときに、共通機能コードをＴＶ１が受信すると、ＴＶ１の表示部１ｂに機器選択のためのＧＵＩを表示して、機器の選択を行わせて、選択された機器がレコーダ２、３のいずれかであるときは、選択されたレコーダを共通機能コード応動モードに移行させた後に、リモコン送信機４から同じ共通機能コードが発せられるのを待って、共通機能コードに応じた処理を行っているが、通常モードにおいて受信された共通機能コードをＴＶ１内に記憶しておき、レコーダ２又は３の選択後に、選択されたレコーダに、共通機能コードを送信するようにしても良い。この共通機能コードは例えば制御用信号線７、８を介して（例えば、制御信号に重畳して）送信するようにしても良い。
【００３３】
なおまた、上記の例では、ＴＶ１が選択された場合には、ＴＶ１が共通機能コード応動モードに移行した後に、選択前に受信し、ＴＶ１内に記憶されている共通機能コードに応じた処理を行っているが、レコーダ２、３が選択された場合と同様、共通機能コード応動モードに移行した後に、リモコン送信機４から同じ共通機能コードが発せられるのを待って、共通機能コードに応じた処理を行うこととしても良い。
【００３４】
実施の形態２．
実施の形態１で、ＴＶ１とレコーダ２、３を接続している制御用信号線７、８でリモコン受信モードを切り替えていたが、実施の形態２では、ＴＶ１、第１のレコーダ２、第２のレコーダ３それぞれに図６に示すように、１ビット以上のレジスタ、メモリなどの記憶部１ｍ、２ｍ、３ｍを設け、ＴＶ１、第１のレコーダ２、第２のレコーダ３の各々は、その内部の記憶部（１ｍ、２ｍ、３ｍ）に第１の値、例えば「１」が記憶されているときは、共通機能コード応動モードで動作し、第２の値、例えば「０」が記憶されているときは、通常モードで動作する。
各機器は、電源が投入されたときは、この通常モード設定される。
【００３５】
レコーダ２，３内の記憶部２ｍ、３ｍの記憶内容を制御部１ｃによる制御によって書き換える処理は、信号線（専用でなくても良い）を介して送られる信号によって行っても良く、有線又は無線のネットワークを介して行っても良く、ＴＶ１から、レコーダ２、３に送られる映像、音声信号に特殊なパターンを重畳させて、これをレコーダ２，３で抽出するようにしても良い。
【００３６】
また、上記のように、カウントダウンタイマー１ｔの値が「０」になったときに、ＴＶ１、レコーダ２，３を初期状態に戻す旨説明したが、このような処理の代わりに、或いはこのような処理に加えて、リモコン送信機４から、通常モードに復帰させる信号を発生させ、これに応じてＴＶ１、レコーダ２，３を初期状態に戻すことしても良い。例えば、リモコン送信機４の一つのキーに、通常モードに復帰させる信号を割り当ててもよく、また、リモコン送信機４の複数のキーを同時に押すことによって、通常モードに復帰させる信号を発するようにしてもよい。さらにまた、ＴＶ１本体にスイッチを設け、そのスイッチをオン（ＯＮ）にしたときにＴＶ１、レコーダ２、３を通常モードに戻してもよい。
【００３７】
こうすることによって、カウントダウンタイマー１ｔの値が「０」になるまで待つことなく、操作対象の機器を選択乃至変更することが可能になる。
【図面の簡単な説明】
【００３８】
【図１】この発明の実施の形態１を示す映像音声システム全体図である。
【図２】図１の映像音声システムの概略機能ブロック図である。
【図３】この発明の実施の形態１を示す機器選択画面図である。
【図４】実施の形態１のＴＶ１の動作を示すフロー図である。
【図５】カウントダウンタイマーの動作を示すフロー図である。
【図６】この発明の実施の形態２の映像音声システムの概略機能ブロック図である。
【符号の説明】
【００３９】
１  テレビジョン受像機（ＴＶ）、  ２  第１のレコーダ、  ３  第２のレコーダ、  ４  リモコン送信機、  ７  制御用信号線、  ８  制御用信号線、  １０  機器選択画面全体、  １１  ＴＶ選択ボタン、  １２  「外部入力１」選択ボタン、  １３  「外部入力２」選択ボタン、  １４  「戻る」ボタン。
【図１】
2008236584.tif 000003
【図２】
2008236584.tif 000004
【図３】
2008236584.tif 000005
【図４】
2008236584.tif 000006
【図５】
2008236584.tif 000007
【図６】
2008236584.tif 000008